(57)【要約】【課題】  本発明は、蓄電池電圧が異常状態に至る前の電圧変化を把握することができる蓄電池放電動作確認システムを提供する。【解決手段】  蓄電池の実放電又は模擬放電発生時から任意に指定した時間内に、任意に指定した間隔で蓄電池電圧を放電時の計測情報として記録するための条件をメモリ３０に記録させる情報設定機能１１と、計測媒体２２からＡ／Ｄ変換後の計測情報を採取し、記憶媒体に記録するよう指示する計測機能１２と、情報設定機能で設定した条件及び放電次の計測情報をメモリ３１，３３に記録するよう指示する記録機能１３と、情報設定機能で設定した条件をもとに計測機能で記録された計測情報を参照して放電時の計測情報を抽出し、記録するための制御を記録機能に対して行う制御機能１４と、前記メモリに記録された情報を情報表示媒体２５に表示させるよう指示する表示機能１５とを備えてある蓄電池放電動作確認システム。【選択図】図２
2006136140.tif 000002
【特許請求の範囲】
【請求項１】
バックアップ用蓄電池を備えた電力装置において、前記蓄電池の実放電又は模擬放電発生時から任意に指定した時間内に、任意に指定した間隔で蓄電池電圧を放電時の計測情報として記録するための条件を、情報設定媒体により設定させる情報設定機能と、計測媒体からＡ／Ｄ変換後の計測情報を採取し、記憶媒体に記録するよう指示する計測機能と、前記情報設定機能で設定した条件、および放電時の計測情報を記憶媒体に記録するよう指示する記録機能と、前記情報設定機能で設定した条件をもとに前記計測機能で記録された計測情報を参照して放電時の計測情報を抽出し、記録するための制御を記録機能に対して行う制御機能と、前記記憶媒体に記録された情報を情報表示媒体に表示させるよう指示する表示機能とを備えてあることを特徴とする蓄電池放電動作確認システム。
【請求項２】
前記情報設定機能は、前記蓄電池の実放電又は模擬放電時の測定時間を設定する測定時間設定手段を設けてあることを特徴とする請求項１記載の蓄電池放電動作確認システム。
【請求項３】
前記情報設定機能は、放電時の計測情報を抽出し、記録する間隔を設定する標本抽出間隔設定手段を設けてあることを特徴とする請求項２記載の蓄電池放電動作確認システム。
【請求項４】
前記情報設定機能は、前記蓄電池の実放電又は模擬放電の発生時から測定時間が経過するまでを１セットとして、測定するセットの回数を設定する測定セット数設定手段を設けてあることを特徴とする請求項１乃至３のいずれかに記載の蓄電池放電動作確認システム。
【請求項５】
前記計測機能は、計測媒体からＡ／Ｄ変換後の計測情報を採取し、記憶媒体に記録するよう指示する計測情報採取手段を備えてあることを特徴とする請求項１乃至４のいずれかに記載の蓄電池放電動作確認システム。
【請求項６】
前記記録機能は、前記情報設定機能で設定した条件を前記記憶媒体に記録させるように指示する設定情報記憶手段を設けてあることを特徴とする請求項１乃至５のいずれかに記載の蓄電池放電動作確認システム。
【請求項７】
前記記録機能は、前記制御機能からの制御により前記計測機能で記録した蓄電池電圧などの計測情報を前記記憶媒体に記録させるように指示する計測情報記録手段を設けてあることを特徴とする請求項１乃至６のいずれかに記載の蓄電池放電動作確認システム。
【請求項８】
前記制御機能は、前記蓄電池の実放電又は模擬放電を検出する記録開始制御手段を備えてあることを特徴とする請求項１乃至７のいずれかに記載の蓄電池放電動作確認システム。
【請求項９】
前記制御機能は、前期記録開始制御手段で放電を検出した状態で、前記情報設定機能により設定した計測間隔、および計測時間を管理し、前記記録機能に放電時の計測情報を記録させるように制御する計測間隔制御手段を備えてあることを特徴とする請求項１乃至８のいずれかに記載の蓄電池放電動作確認システム。
【請求項１０】
前記制御機能は、前記情報設定機能により設定した計測時間が経過した場合に、放電時の計測情報の記録を終了するように制御する計測時間制御手段を備えてあることを特徴とする請求項１乃至９のいずれかに記載の蓄電池放電動作確認システム。
【請求項１１】
前記表示機能は、前記記録機能により記録された設定情報、および放電時の計測情報を前記情報表示媒体へ表示させるよう制御する情報表示手段を備えてあることを特徴とする請求項１乃至１０のいずれかに記載の蓄電池放電動作確認システム。
【請求項１２】
バックアップ用蓄電池を備えた電力装置において、条件の入力を行う情報設定媒体と、この情報設定媒体により前記蓄電池の実放電又は模擬放電発生時から任意に指定した時間内に、任意に指定した間隔で蓄電池電圧を放電時の計測情報として記録するための条件を設定させる情報設定機能とを備えた情報設定部と、電流、および電圧の計測情報をＡ／Ｄ変換する計測媒体と、この計測媒体により採取した計測情報を記憶媒体に記録するよう指示する計測機能とを備えた計測部と、前記情報設定機能で設定した条件、および放電時の計測情報を記録する記憶媒体と、この記憶媒体に記録するよう指示する記録機能とを備えた記憶部と、前記情報設定機能で設定した条件をもとに前記計測機能で記録された計測情報を参照して放電時の計測情報を抽出し、記録するための制御を記録機能に対して行う制御機能を備えた制御部と、前記記憶媒体に記録された情報を情報表示媒体に表示させるよう指示する表示機能とを備えた表示部とを有することを特徴とする電力装置。
【発明の詳細な説明】
【技術分野】
【０００１】
本発明は、バックアップ用蓄電池を備えた電力装置に関するもので、特に蓄電池の放電時における蓄電池電圧変化状態より蓄電池放電回路状態、および蓄電池使用経過状態を確認する電力装置における蓄電池放電動作確認システムに関するものである。
【背景技術】
【０００２】
従来の技術として、電力装置の出力設定電圧を負荷装置が正常動作を維持できる電圧まで低下させ、蓄電池を放電状態にしてその端子電圧を計測して、その端子電圧の低下速度により放電終止電圧にいたる時間を推定するもの（例えば、特許文献１参照）や、蓄電池が接続されている電力装置の出力電圧を、蓄電池解放電圧以下で負荷装置の動作に影響無い電圧まで下げ模擬放電を行い、放電時の蓄電池電圧が異常検出電圧にならないかを検出していたものがある。
【特許文献１】特開平８−１２６２１４号公報
【発明の開示】
【発明が解決しようとする課題】
【０００３】
しかし、従来の技術では、特に後者の技術では、蓄電池電圧が異常状態に至る前の電圧変化を把握することができなかったため、異常に対する事前対応、および蓄電池交換時期の事前把握ができなかった。
【０００４】
本発明は、上記問題に鑑みてなされたものであり、蓄電池電圧が異常状態に至る前の電圧変化を把握することができるバックアップ用蓄電池を備えた電力装置における蓄電池放電動作確認システム、および電力装置を提供する。
【課題を解決するための手段】
【０００５】
上記課題を解決するために、本発明に係るバックアップ用蓄電池を備えた電力装置における蓄電池放電動作確認システムは、バックアップ用蓄電池を備えた電力装置において、前記蓄電池の実放電又は模擬放電発生時から任意に指定した時間内に、任意に指定した間隔で蓄電池電圧を放電時の計測情報として記録するための条件を、情報設定媒体により設定させる情報設定機能と、計測媒体からＡ／Ｄ変換後の計測情報を採取し、記憶媒体に記録するよう指示する計測機能と、前記情報設定機能で設定した条件、および放電時の計測情報を記憶媒体に記録するよう指示する記録機能と、前記情報設定機能で設定した条件をもとに前記計測機能で記録された計測情報を参照して放電時の計測情報を抽出し、記録するための制御を記録機能に対して行う制御機能と、前記記憶媒体に記録された情報を情報表示媒体に表示させるよう指示する表示機能とを備えてあることを特徴とする。
【０００６】
前記情報設定機能は、前記蓄電池の実放電又は模擬放電時の測定時間を設定する測定時間設定手段を設けてあることを特徴とする。
また、前記情報設定機能は、放電時の計測情報を抽出し、記録する間隔を設定する標本抽出間隔設定手段を設けてあることを特徴とする。
さらに、前記情報設定機能は、前記蓄電池の実放電又は模擬放電の発生時から測定時間が経過するまでを１セットとして、測定するセットの回数を設定する測定セット数設定手段を設けてあることを特徴とする。
【０００７】
前記計測機能は、計測媒体からＡ／Ｄ変換後の計測情報を採取し、記憶媒体に記録するよう指示する計測情報採取手段を備えてあることを特徴とする。
【０００８】
前記記録機能は、前記情報設定機能で設定した情報を前記記憶媒体に記録させるように指示する設定情報記憶手段を設けてあることを特徴とする。
【０００９】
前記記録機能は、前記情報設定機能で設定した条件を前記記憶媒体に記録させるように指示する設定情報記憶手段を設けてあることを特徴とする。
また、前記記録機能は、前記制御機能からの制御により前記計測機能で記録した蓄電池電圧などの計測情報を前記記憶媒体に記録させるように指示する計測情報記録手段を設けてあることを特徴とする。
【００１０】
前記制御機能は、前記蓄電池の実放電又は模擬放電を検出する記録開始制御手段を備えてあることを特徴とする。
また、前記制御機能は、前期記録開始制御手段で放電を検出した状態で、前記情報設定機能により設定した計測間隔、および計測時間を管理し、前記記録機能に放電時の計測情報を記録させるように制御する計測間隔制御手段を備えてあることを特徴とする。
さらに、前記制御機能は、前記情報設定機能により設定した計測時間が経過した場合に、放電時の計測情報の記録を終了するように制御する計測時間制御手段を備えてあることを特徴とする。
【００１１】
前記表示機能は、前記記録機能により記録された設定情報、および放電時の計測情報を前記情報表示媒体へ表示させるよう制御する情報表示手段を備えてあることを特徴とする。
【００１２】
本発明に係る電力装置は、バックアップ用蓄電池を備えた電力装置において、条件の入力を行う情報設定媒体と、この情報設定媒体により前記蓄電池の実放電又は模擬放電発生時から任意に指定した時間内に、任意に指定した間隔で蓄電池電圧を放電時の計測情報として記録するための条件を設定させる情報設定機能とを備えた情報設定部と、電流、および電圧の計測情報をＡ／Ｄ変換する計測媒体と、この計測媒体により採取した計測情報を記憶媒体に記録するよう指示する計測機能とを備えた計測部と、前記情報設定機能で設定した条件、および放電時の計測情報を記録する記憶媒体と、この記憶媒体に記録するよう指示する記録機能とを備えた記憶部と、前記情報設定機能で設定した条件をもとに前記計測機能で記録された計測情報を参照して放電時の計測情報を抽出し、記録するための制御を記録機能に対して行う制御機能を備えた制御部と、前記記憶媒体に記録された情報を情報表示媒体に表示させるよう指示する表示機能とを備えた表示部とを有することを特徴とする。
【発明の効果】
【００１３】
本発明によれば、過去の放電時の蓄電池電圧などの計測情報をメモリに記録することにより異常状態に至る前の蓄電池電圧の変化状態が把握出来る為、メンテナンス上の異常に対する事前対応、および蓄電池交換時期の事前把握が出来る効果がある。
【００１４】
また、条件を指定して負荷装置に対する出力電流値の記録を行う事により、負荷装置への出力電流量などの変動による蓄電池状態変化の把握も出来る効果がある。
【発明を実施するための最良の形態】
【００１５】
本発明に係る電力装置の概略図を図１に示し、発明を実施するための最良の形態のブロック図を図２に、フローチャートを図３にそれぞれ示す。本発明に係る電力装置は、バックアップ用蓄電池を備えた電力装置に関する。本発明に係る電力装置は、整流器１０１、負荷装置１０２、および蓄電池１０３を備え、通常は整流器１０１から負荷装置１０２に電力が供給されるとともに、蓄電池１０３に電力が供給され、蓄電池１０３が充電される。整流器１０１から負荷装置１０２に電力が供給できない場合は、蓄電池１０３から負荷装置１０２に電力が供給される。
【００１６】
続いて、本発明に係る蓄電池放電動作確認システムを備えた電力装置について、図２へ図示のブロック図に基づいて説明する。本実施形態に係る電力装置は、情報設定部１、計測部２、記憶部３、制御部４、並びに、表示部５を備えてある。また、蓄電池放電動作確認システム１０は、コンピュータ内に設けられており、情報設定機能１１、計測機能１２、記録機能１３、制御機能１４、並びに、表示機能１５を備えてある。情報設定部１は、例えばコンピュータのキーボードなどで構成した操作キー２１と情報設定機能１１とを、計測部２は、例えばＤＣ−ＤＣコンバータ、Ａ／Ｄ変換器などを用いた計測媒体２２と計測機能１２と計測値を記録するメモリ３２とを、記憶部３は、記録条件を記録するメモリ３１と放電時の計測情報を記録するメモリ３３と記録機能１３とを、制御部４は放電時の計測情報を記録するための制御を行う制御機能１４を、表示部５は表示機能１５と例えばコンピュータのモニターなどの情報表示媒体２５とを、それぞれ有する。
【００１７】
情報設定機能１１は、蓄電池１０３の実放電又は模擬放電の発生時から任意に指定した時間内に、任意に指定した間隔で蓄電池電圧などの計測情報を記録するための条件を設定する機能である。本実施形態では、以下の手段を設けてある。先ず、本機能１１は測定時間設定手段を設けてある。この手段は、操作キー２１を用いて、蓄電池１０３の実放電時の計測時間又は蓄電池開放電圧以下で負荷装置１０２の動作に影響しない電圧まで下げる模擬放電時の測定時間を設定する手段である。
【００１８】
続いて、本機能１１は標本抽出間隔設定手段を設けてある。この手段も操作キー２１を用い、１セットの計測で蓄電池電圧などの標本を抽出する間隔を設定する手段である。なお、ここでセットとは、蓄電池１０３の実放電又は模擬放電の発生時から任意に指定した時間内に、任意に指定した間隔で蓄電池電圧などの計測情報を記録する行程をいい、１セットとは前記行程の１回分をいう。さらに、本機能１１は計測セット数設定手段を設けてある。この手段も、操作キー２１を用い、蓄電池電圧などを計測するセットの回数を設定する手段である。
【００１９】
計測機能１２は計測情報を採取する機能である。本機能１２は、計測情報採取手段を設けてある。この手段は、計測媒体２２でＡ／Ｄ変換された蓄電池電圧や負荷電流を採取し、メモリ３２に記録するように構成してある。
なお、計測方法については、図３のフローチャートを用いて後述する。
【００２０】
記録機能１３は、情報設定機能１１で設定した条件をメモリ３１へ、前記計測機能１２で記録した蓄電池電圧などの計測情報、および記録日時をメモリ３３へ記録するように指示する機能である。本実施形態では、以下の手段を設けてある。先ず、本機能１３は、設定情報記憶手段を設けてある。この手段は、情報設定機能１１で設定した情報を記録する手段であり、本実施形態では、メモリ３１を設け、計測時間、標本抽出間隔、並びに記録回数を記録してある。
【００２１】
続いて、本機能１３は、計測情報記録手段を設けてある。この手段は、制御機能１４からの制御により、計測機能１２により記録した蓄電池電圧や負荷電流などの計測情報を放電時の計測情報としてメモリ３３へ記録する手段である。また、本実施形態では、記録は計測時間の間複数回行われる。本実施形態では、この計測情報記録手段により、放電時の計測情報を記録開始した日時もメモリ３３に記録する。
また、メモリ３３は情報設定機能１１の測定セット数設定手段により設定された測定するセットの回数毎に記録するように構成してある。
【００２２】
制御機能１４は、情報設定機能１１で設定した条件と、記録機能１３で記録された計測情報を参照して放電時の計測情報を記録するための制御を行う機能である。本実施形態では、以下の手段を設けてある。先ず、本機能１４は、記録開始制御手段を設けてある。この手段は、蓄電池１０３の実放電又は模擬放電を検出するものである。
【００２３】
続いて、本機能１４は、計測間隔制御手段を設けてある。この手段は、前記記録開始制御手段で放電を検出した状態で、情報設定機能１１により設定した計測間隔、および計測時間を管理し、記録機能１２に放電時の計測情報を記録させるように制御するものである。また、本機能１４は計測時間制御手段を設けてある。この手段は、情報設定機能１１により設定した計測時間が経過した場合に、放電時の計測情報の記録を終了するように制御する制御するものである。
【００２４】
表示機能１５は、メモリ３０に記録された情報をモニターなどの情報表示媒体２５に表示する機能である。本機能１５では、情報表示手段を設けてある。この手段は、メモリ３１、およびメモリ３３に記録されている情報を情報表示媒体２５に表示させるように指示する。なお、表示方法については後述する。
【００２５】
以上のように構成してある蓄電池放電動作確認システムにおける動作処理について図３で示すフローチャートを用いて説明する。先ず、電力装置を起動する（Ｓ１）。その後、操作キー２１を用いて情報設定機能１１により計測時間、標本抽出間隔、および記録回数、即ち計測セット回数を設定し、記録機能１３によりメモリ３１に記録される。（Ｓ２）。なお、情報設定については、表示機能１５の指示により、コンピュータのディスプレイなどの情報表示媒体２５に表示することができる。
【００２６】
計測時間、標本抽出間隔、および記録回数の情報を設定した後、蓄電池１０３の実放電又は模擬放電が行われるまで待機する（Ｓ３）。
【００２７】
蓄電池１０３の実放電又は模擬放電が行われると、これを制御機能１４がこれを検出し、情報設定機能１１により設定した情報に基づいて、記録機能１３により記録日時がメモリ３３へ記録される（Ｓ４）。また、記録機能１３で記録日時が記録されると、放電時の計測情報として計測機能１２で記録された負荷電流、蓄電池電圧、その他計測結果をメモリ３１からメモリ部３３に記録される（Ｓ５）。
【００２８】
続いて、１回目の記録が終わると、制御機能１４の計測間隔制御手段が働き、情報設定機能１１により設定した計測間隔を保つため、しばらくの間計測を休止する（Ｓ６）。情報設定機能１１により設定した計測間隔を保った後は、制御機能１４の計測時間制御手段が働き、情報設定機能１１により設定した計測時間が経過したか否かを判断する（Ｓ７）。情報設定機能１１により設定した計測時間が経過していない場合は、前記Ｓ５に戻り、負荷電流、蓄電池電圧その他計測結果を記録する（Ｓ５）。情報設定機能１１により設定した計測時間が経過した場合は、前記Ｓ３に戻り、蓄電池１０３の実放電又は模擬放電が行われるまで待機する（Ｓ３）。これにより、１セット目が終了する。再び、蓄電池１０３の実放電又は模擬放電が行われると、２セット目が開始され、２セット目の情報として、制御機能１４が蓄電池１０３の実放電又は模擬放電の開始を検出し、情報設定機能１１により設定した情報に基づいて、記録機能１３で記録日時などの情報の記録を開始する（Ｓ４）。
【００２９】
測定結果は、表示機能１５により表示される。測定結果は測定中並びに測定終了後に表示することができる。測定中に表示する場合は、概ね表に表してコンピュータのディスプレイで表示される。表には、記録日時、経過時間、蓄電池電圧が表示される。測定終了後の場合は、表とグラフで表示することができる。表には、測定中と同様に、記録日時、経過時間、蓄電池電圧が表示される。また、蓄電池電圧は測定開始時から、一定間隔毎に表示することができるとともに、蓄電池電圧は、測定時における最高電圧と最低電圧を表示することもできる。
【００３０】
また、測定終了後の測定結果については、グラフに表してコンピュータのディスプレイで表示される。これについては、図４に一例を示す。図４に示すグラフには、横軸に経過時間を表示し、縦軸に蓄電池電圧を表示する。本実施例では、情報設定部１により計測時間を１１分に、標本抽出間隔を１分に設定して蓄電池電圧を記録する。図４に示すように、計測開始から１０分間は蓄電池電圧が降下し続け、この間は蓄電池が放電していることがわかる。計測開始から１１分経過する際、蓄電池電圧は放電開始時とほぼ等しく戻り、放電が終了したことがわかる。本実施例では、計測時間の１１分が経過した時点で終了する。
【００３１】
以上より、本発明に係るシステムは、表示機能１５を有していることにより、計測結果を一見して理解することができ、蓄電池電圧の変化状態を容易に把握することが出来る。これにより、メンテナンス上の異常に対する事前対応、および蓄電池交換時期を事前に把握することが出来る。なお、本実施例では、蓄電池電圧を記録しているが、本システムでは負荷電流を記録することも可能である。負荷電流を測定する場合は、情報設定条件などは蓄電池電圧を測定する場合と異なるが、蓄電池放電動作確認システム１０の構成については、負荷電流を測定する場合も、蓄電池電圧を測定する場合とほぼ同様の構成である。
【産業上の利用可能性】
【００３２】
本発明によれば、過去の放電時の蓄電池電圧をメモリに記録することにより異常状態に至る前の蓄電池電圧の変化状態が把握出来る為、メンテナンス上の異常に対する事前対応、および蓄電池交換時期の事前把握が出来る。
【００３３】
また、負荷装置に対する出力電流値の記録を行う事により、負荷装置への出力電流量変動による蓄電池状態変化の把握も出来る。
【図面の簡単な説明】
【００３４】
【図１】本発明に係る電力装置の概略図である。
【図２】本発明に係る蓄電池放電動作確認システムにおける発明を実施するための最良の形態のブロック図である。
【図３】図２図示実施形態のフローチャートである。
【図４】本発明に係る蓄電池放電動作確認システムにより行われた試験結果の一例を表した動作波形図である。
【符号の説明】
【００３５】
１  情報設定部
２  計測部
３  記憶部
４  制御部
５  表示部
１０  蓄電池放電動作確認システム
１１  情報設定機能
１２  計測機能
１３  記録機能
１４  制御機能
１５  表示機能
２１  操作キー
２２  計測媒体
２５  情報表示媒体
３０，３１，３２，３３  メモリ
１０１  整流器
１０２  負荷装置
１０３  蓄電池
【図１】
2006136140.tif 000003
【図２】
2006136140.tif 000004
【図３】
2006136140.tif 000005
【図４】
2006136140.tif 000006